【手続補正書】
【提出日】平成26年3月27日(2014.3.27)
【手続補正１】
【補正対象書類名】特許請求の範囲
【補正対象項目名】全文
【補正方法】変更
【補正の内容】
【特許請求の範囲】
【請求項１】
ポーチ入り香味付け製品の形成及び充填に使用するための装置であって、
（ａ）第１の端部、第２の端部、及び外面を有する細長い外側管状部材と、
（ｂ）第１の端部及び第２の端部を有する環状送出チャンバを形成するように前記細長い外側管状部材内に同軸整列した細長い内側管状部材であって、該細長い内側管状部材が、第１の端部及び第２の端部を有し、該第１の端部が、ポーチに入れられる製品を受け取るためのものであり、該第２の端部が、該環状送出チャンバと流体連通して半径方向内向きに向けられた複数の周方向に離間した出口オリフィスを有し、該第２の端部が、形成されている該ポーチ内に該製品を配置するためのものである前記細長い内側管状部材と、
（ｃ）前記細長い外側管状部材の前記第１の端部及び前記細長い内側管状部材の前記第１の端部に隣接し、該細長い内側管状部材の該第１の端部と連通している第１の入口及び前記環状送出チャンバと流体連通している第２の入口を有する入口ハブと、
を含み、
前記細長い外側管状部材の前記外面は、その周りに前記ポーチ入り製品を形成するための面を提供し、前記環状送出チャンバの前記第２の端部は、密封される、
ことを特徴とする装置。
【請求項２】
前記第１の入口は、前記内側管と軸線方向に整列し、前記第２の入口は、接線方向であることを特徴とする請求項１に記載の装置。
【請求項３】
前記細長い内側管状部材は、約５ｍｍから約７ｍｍの外径と約１ｍｍの壁厚を有し、前記細長い外側管状部材は、約０．１ｍｍから約０．２ｍｍの環状空間を形成するのに十分な内径を有することを特徴とする請求項２に記載の装置。
【請求項４】
前記細長い外側管状部材は、約７ｍｍから約９ｍｍの外径と約１ｍｍの壁厚を有することを特徴とする請求項１に記載の装置。
【請求項５】
前記細長い内側管状部材の前記第２の端部は、少なくとも４つの等間隔に離間した出口オリフィスを有することを特徴とする請求項１に記載の装置。
【請求項６】
前記細長い内側管状部材の前記第２の端部は、少なくとも６つの等間隔に離間した出口オリフィスを有することを特徴とする請求項１に記載の装置。
【請求項７】
前記細長い内側管状部材の前記第２の端部は、少なくとも８つの等間隔に離間した出口オリフィスを有することを特徴とする請求項１に記載の装置。
【請求項８】
前記細長い内側管状部材の前記第２の端部は、各々が約０．２ｍｍの直径を有する４つの出口オリフィスを有することを特徴とする請求項１に記載の装置。
【請求項９】
前記細長い外側管状部材及び前記細長い内側管状部材の各々は、ステンレス鋼で形成されることを特徴とする請求項１に記載の装置。
【請求項１０】
前記細長い外側管状部材及び前記細長い内側管状部材の各々は、長さが約２３ｃｍから約３０ｃｍ（約９インチから約１２インチ）であることを特徴とする請求項１に記載の装置。
【請求項１１】
前記環状送出チャンバの前記第１の端部は、密封されていることを特徴とする請求項１に記載の装置。
【請求項１２】
前記環状送出チャンバの前記第１の端部は、第１の閉鎖リングによって密封されており、前記環状送出チャンバの前記第２の端部は、第２の閉鎖リングによって密封されていることを特徴とする請求項１１に記載の装置。
【請求項１３】
ポーチ入り香味付け製品を作るためのシステムであって、
（ａ）ポーチを形成するためのウェブ材料を供給するように作動する構成と、
（ｂ）ポーチ入り製品の形成及び充填に使用するための請求項１から請求項１２のいずれか１項に記載の装置と、
（ｃ）ウェブ材料の前記供給からウェブを受け取って前記装置の周りに該ウェブを折り重ね、縦方向縁部部分を有するポーチを形成するための形成構成と、
（ｄ）前記装置に沿って前記ウェブが引き出される時に縫い目を形成するために該ウェブの前記縦方向縁部部分を密封するように作動する密封構成と、
を含むことを特徴とするシステム。
【請求項１４】
１つ又はそれよりも多くの香味料を含む液体が、前記環状送出チャンバに給送されて前記複数の周方向に離間した出口オリフィスを通して計量され、それによって該１つ又はそれよりも多くの香味料の少なくとも部分的なコーティングを前記ポーチの内面に設けることを特徴とする請求項１３に記載のシステム。
【請求項１５】
前記環状送出チャンバに前記液体を給送するための注射器及びパラストリックポンプを更に含むことを特徴とする請求項１４に記載のシステム。
【請求項１６】
前記装置を通して前記ウェブを進めるための駆動構成を更に含むことを特徴とする請求項１３に記載のシステム。
【請求項１７】
ナイフと協働してポーチ入り製品を繰返し密封して切断する対向する熱密封要素の上側の対及び熱密封要素の下側の対を更に含むことを特徴とする請求項１６に記載のシステム。
【請求項１８】
タバコの個別の用量が、前記熱密封要素の作動とタイミングを合わせて前記装置の前記細長い内側管状部材を通して給送されることを特徴とする請求項１７に記載のシステム。
【請求項１９】
前記熱密封要素及びナイフは、該熱密封要素が一緒に閉じ、かつタバコが前記装置の前記細長い内側管状部材の中に給送される運動サイクルに従うことを特徴とする請求項１８に記載のシステム。
【請求項２０】
タバコの計量された部分が、前記上側熱密封要素が閉じた後に前記装置の前記細長い内側管状部材の中に空気を通じて吹き込まれることを特徴とする請求項１９に記載のシステム。
【請求項２１】
ポーチ入り香味付け製品を形成する方法であって、
（ａ）ポーチ入り香味付け製品を形成するのに使用するためのウェブを準備する段階と、
（ｂ）１つ又はそれよりも多くの香味料を含む液体をポーチ入り香味付け製品の形成及び充填に使用するための装置に供給する段階であって、該装置が、（ｉ）第１の端部、第２の端部、及び外面を有する細長い外側管状部材と、（ｉｉ）環状送出チャンバを形成するように細長い外側管状部材内に同軸整列し、かつ第１の端部及び第２の端部を有し、第１の端部が、ポーチに入れられる製品を受け取るためのものであり、第２の端部が、環状送出チャンバと流体連通して半径方向内向きに向けられた複数の周方向に離間した出口オリフィスを有し、第２の端部が、該製品を形成されているポーチ内に配置するためのものである細長い内側管状部材と、（ｉｉｉ）細長い外側管状部材の第１の端部及び細長い内側管状部材の第１の端部に隣接し、細長い内側管状部材の第１の端部と連通している第１の入口及び環状送出チャンバと流体連通している第２の入口を有する入口ハブとを含み、該細長い外側管状部材の該外面が、その周りに該ポーチ入り香味付け製品を形成するための面を提供し、１つ又はそれよりも多くの香味料を含む液体が、環状送出チャンバに給送され、複数の周方向に離間した出口オリフィスを通じて計量され、それによって１つ又はそれよりも多くの香味料の少なくとも部分的なコーティングをポーチの内面に設ける前記供給する段階と、
（ｃ）前記ウェブで製品構成要素を封入する段階と、
を含むことを特徴とする方法。
【請求項２２】
前記ウェブの重なっている部分を密封する段階を更に含むことを特徴とする請求項２１に記載の方法。
【請求項２３】
前記ウェブの縦方向の重なっている部分が密封されることを特徴とする請求項２２に記載の方法。
【請求項２４】
前記ウェブの横方向の重なっている部分が密封されることを特徴とする請求項２３に記載の方法。
【請求項２５】
前記ポーチ入り香味付け製品を前記ウェブから切断する段階を更に含むことを特徴とする請求項２４に記載の方法。
【請求項２６】
前記第１の入口は、前記内側管状部材と軸線方向に整列し、前記第２の入口は、接線方向であることを特徴とする請求項２１に記載の方法。